(57)【特許請求の範囲】
【請求項１】
一方の石抜口側を高くし他方の穀物取出口側を低くしてなる傾斜姿勢で揺動可能に支持した通気性を有するスクリーンの下方から上方に空気を吹き上げかつスクリーンを揺動させながらスクリーン上に処理穀物を供給することで閉鎖状態の石抜口側に処理穀物に含まれる石などの異物を溜めて穀物と異物とを比重選別する石抜装置であって、スクリーン上の穀物選別空間における異物溜り部よりも低い箇所に臨み、前記異物溜り部側から押し戻される穀物を導入する戻り穀物導入開口部を設け、この戻り穀物導入開口部に、戻り穀物を排出する戻り穀物排出路を接続した石抜装置。
【請求項２】
スクリーン上に、穀物取出口側から異物溜り部近傍まで延びて穀物選別空間と戻り穀物排出路とを仕切る仕切壁を設けた請求項１記載の石抜装置。
【請求項３】
スクリーンにおける戻り穀物排出路底面をなす部分に、戻り穀物排出路に導かれた穀物を穀物取出口側へ送るように空気を吹き出す通気孔を設けた請求項２に記載の石抜装置。
【請求項４】
スクリーンにおける戻り穀物排出路底面をなす部分を、スクリーンの下方からの空気を通さない平板状に構成し、戻り穀物排出路に導かれた穀物を前記戻り穀物排出路底面の勾配により穀物取出口側へ送るように構成した請求項２に記載の石抜装置。
【請求項５】
スクリーン上の穀物選別空間を側方から囲む両側壁の少なくとも石抜口寄り部分を、側壁間寸法が石抜口側ほど狭い通路幅となる傾斜側壁で構成し、この傾斜側壁により異物溜り部側から押し戻される穀物を戻り穀物導入開口部に案内するように構成した請求項２〜４の何れかに記載の石抜装置。
【請求項６】
スクリーン部の異物溜り部側に移動された異物が戻り穀物導入開口部に向けて逆流することを防止する異物戻り防止部を設けた請求項２〜５の何れかに記載の石抜装置。
【請求項７】
戻り穀物導入開口部を開閉する開閉扉を設けた請求項１〜６の何れかに記載の石抜装置。
【発明の詳細な説明】
【０００１】
【発明の属する技術分野】
本発明は、玄米や白米などの穀物から石などの異物を除去する石抜装置に関するものである。
【０００２】
【従来の技術】
精米装置の前段や、精米装置の後段に、これらの玄米や白米などの穀物から石などの異物を比重差を利用して除去する石抜装置を設けた設備は知られている。
【０００３】
この種の石抜装置は、図９、図１０に示すように、多数の通気孔１が穿設されたスクリーン２が、一方の石抜口Ａの側を高く他方の穀物取出口Ｂの側を低くしてなる傾斜姿勢で揺動自在に支持され、図示しない駆動モータにより斜め上下方向に揺動される構造とされている。スクリーン２の下方には、ファン３を内蔵したファンケーシング４が設けられている。玄米などの処理穀物Ｘはスクリーン２の略中央部（若干石抜口Ａ寄り箇所）に供給される。スクリーン２の側壁部分は、穀物取出口Ｂの側は均一通路幅の後部側壁２ａ，２ｂが形成されている一方、石抜口Ａの側は石抜口Ａ側ほど狭い通路幅となるように傾斜側壁２ｃ、２ｄが形成されている。また、図１０に示すように、スクリーン２はその目が空気を石抜口Ａ方向に吹き上げるように通気孔１が形成されている。また、図９における５は、石抜口Ａに開閉自在に設けられた取出口扉で、通常、この取出口扉５は閉じられている。
【０００４】
スクリーン２上の穀物選別空間Ｃに処理穀物Ｘが供給されると、穀物Ｙはスクリーン２を吹き上げる空気を受けて、スクリーン２より上方に浮上する。そして、穀物取出口Ｂの側が低いものの、スクリーン２から吹き上げる空気の影響を受けてどちらかというと石抜口Ａ側へ移動しようとする。しかし、処理穀物Ｘが追加して供給されることで穀物Ｙはスクリーン２の面に沿って全面に広がり、追加供給された分だけスクリーン２上より順次押出されるようにして、穀物取出口Ｂから排出されて取出される。
【０００５】
一方、穀物Ｙよりも比重が大きい石などの異物Ｚは浮き上がることなくスクリーン２に直接接触するので、スクリーン２の目の方向と揺動動作により石抜口Ａ側へ順次移動し、取出口扉５の手前箇所であるスクリーン２上の異物溜り部２ｅに溜められる。
【０００６】
このようにして、スクリーン２の上で穀物Ｙと石などの異物Ｚとが比重選別される。なお、適当な期間毎に取出口扉５を開けて上記動作を行わせることにより、異物溜り部２ｅに溜められた異物Ｚを石抜口Ａから異物排出路６を通して所定箇所に取出すことができる。
【０００７】
【発明が解決しようとする課題】
しかし、この種の石抜装置によれば、石抜動作を終了した際に、図１１に示すように、穀物取出口Ｂから押出されなかった穀物Ｙがスクリーン２上の全面にわたって残ってしまうため、次回に処理する穀物Ｙと混入してしまうという問題があった。
【０００８】
特に、次に処理する処理穀物Ｘの銘柄が前のものと異なる場合、例えば、うるち米のつぎにもち米を処理するような場合には、そのままで上記石抜動作を行うと、これらの異なった銘柄の穀物Ｙが混入されて取出されるために支障を来す。
【０００９】
したがって、このような場合には、次回の石抜動作時に処理穀物Ｘの供給に先立って、取出口扉５を開けて石抜装置を駆動させてスクリーン２上に残留する穀物Ｙおよび異物Ｚを石抜口Ａから全て排出させ、残留した穀物Ｙや異物Ｚを除去する。そして、この後に、取出口扉５を閉じて処理穀物Ｘを供給して石抜動作を行わせることで、異なった銘柄の穀物Ｙが混じることを防止している。しかしながら、この場合でも、処理穀物Ｘの多くの穀物Ｙがスクリーン２上の全面に残ってしまうため、この穀物Ｙの取出し量が減少してしまう。
【００１０】
このような不具合に対処するものとして、特公平４−２３５８２号公報には、図１２〜図１４に示すような構造の石抜装置が開示されている。
この石抜装置２０では、スクリーン２２の石抜通路２３の先端に穀物戻し口２４を設けるとともに、穀物戻し口２４より横向き傾斜の流し板２５を取付け、流し板２５の下端に戻し路２６の前端を接続し、戻し路２６の後端を穀物取出口２７の側部に開口させている。また、石抜通路２３の途中に石落下口２８を設けるとともに石落下口２９の下方に石落下筒３０を設け、石落下口２８を開閉する石落下口開閉弁３１と石落下筒３０の下端を開閉する石落下筒開閉弁３２とをモータ３３の回転軸３４で回動させるようになっている。
【００１１】
そして、処理穀物Ｘが供給されている時には、図１３に示すように、石落下口開閉弁３１を閉じて石落下口開閉弁３１の手前部分に石などの異物Ｚを溜める。一方、処理穀物Ｘの供給が終了すると、図１４に示すように、回転軸３４を回動させて石落下口開閉弁３１を開けるとともに石落下筒開閉弁３２を閉じて、石落下筒３０内に異物Ｚを落下させ、石落下筒３０内に溜まった異物Ｚの上を通して穀物Ｙを、穀物戻し口から流し板２５および戻し路２６を通して穀物取出口２７側に戻すものである。
【００１２】
これによれば、スクリーン２２上に穀物Ｙが残ることを防止できる。
しかしながら、この石抜装置２０では、石落下口２８、石落下口開閉弁３１、石落下筒３０、石落下筒開閉弁３２およびモータ３３が必要であるため、構造が複雑となって製造コストの増加を招く。また、毎回、石落下口開閉弁３１や石落下筒開閉弁３２の開閉動作を行わなければならないため、その分だけ多くの時間が必要となる。また、異物Ｚが少ない場合には、石落下筒３０内を満たす分だけ穀物Ｙが減ることとなる。
【００１３】
また、特公昭５８−５７１５号公報には、図１５に示すような構造の石抜装置が開示されている。
この石抜装置４０においては、スクリーン４１の高く配置した側Ｄにさらに傾斜の大きい大勾配傾斜壁４２を形成し、スクリーン４１から強く吹き上げた空気の力により穀物Ｙだけを後側壁４２よりも飛び越えさせて、回収樋４３を通して回収物排出口４４から穀物Ｙを回収するように図られている。
【００１４】
しかし、この石抜装置４０では、穀物Ｙを強い吹き上げ力で吹き飛ばす構造であるため、風力が強すぎると異物Ｚも飛ばされて穀物Ｙに混入してしまい、また、風力が弱すぎると、穀物Ｙが後側壁４２を飛び越えることができず、穀物Ｙがスクリーン４１上に残ったままとなり、その風力の調整が微妙であり困難である。
【００１５】
さらに、特開平９−１０８６２９号公報には、図１６に示すように、スクリーン材からなる選別板５１を、主選別多孔板５２と、横送多孔板５３と、戻し多孔板５４と、副選別多孔板５５とから構成した石抜装置５０が開示されている。主選別多孔板５２は、揺下側Ｆに低く揺上側Ｅに高く前後に勾配で配置され、揺上側Ｅに向かって風を吹き出す選別孔５６を多数有する。横送多孔板５３は、主選別多孔板５２の揺上側Ｅに設けられ、一側方（図面においては右側）に穀物Ｙを含んだ異物Ｘを送るように選別孔５７が設けられている。戻し多孔板５４は、主選別多孔板５２の揺上側Ｅに設けられ、揺下側Ｆに向かって風を吹き出す選別孔５８を有する。副選別多孔板５５は、戻し多孔板５４の一側部に中仕切板５９を挟んで設けられ、戻し多孔板５４の揺下側Ｆに端部に設けた連絡口６０を介して戻し多孔板５４側の通路に連絡されている。さらに、副選別多孔板５５は、揺上側Ｅに向かって風を吹き出す選別孔６１を全面に設け、揺上側Ｅに石取出口６２を形成し、揺下側Ｆに穀物取出口６３を形成している。
【００１６】
この石抜装置５０において、主選別多孔板５２上に処理穀物を供給すると、異物および穀物が混じった状態の処理穀物が主選別多孔板５２の揺上側Ｅに移動されて横送多孔板５３上に送られ、次に、横送多孔板５３により側方に送られ、さらに戻し多孔板５４により揺下側Ｆに戻され、最後に、副選別多孔板５５上において、異物と穀物とが分けられて、石取出口６２から異物が排出されるように図られている。
【００１７】
しかしながら、この石抜装置５０では、穀物を含んだ異物をさらに副選別多孔板５５上で選別するように図られているものの、石取出口６２には異物とともに穀物も送られてしまい、最終的に得られる穀物の量が減少してしまう。また、主選別多孔板５２の揺上側Ｅに移動された異物および穀物は、その後、横送多孔板５３、戻し多孔板５４および副選別多孔板５５の長い経路を通ることとなるため、主選別多孔板５２上の処理穀物が良好には排除されずに残ってしまう。
【００１８】
本発明は上記不具合や問題を解決するもので、簡単な構成で異物と穀物とを良好かつ確実に選別でき、かつスクリーン上の穀物の残量を最小限に抑えることができて、得られる穀物の量が減少してしまうことも防止できる石抜装置を提供することを目的とするものである。
【００１９】
【課題を解決するための手段】
上記課題を解決するために、請求項１記載の本発明は、一方の石抜口側を高くし他方の穀物取出口側を低くしてなる傾斜姿勢で揺動可能に支持した通気性を有するスクリーンの下方から上方に空気を吹き上げかつスクリーンを揺動させながらスクリーン上に処理穀物を供給することで閉鎖状態の石抜口側に処理穀物に含まれる石などの異物を溜めて穀物と異物とを比重選別する石抜装置であって、スクリーン上の穀物選別空間における異物溜り部よりも低い箇所に臨み、前記異物溜り部側から押し戻される穀物を導入する戻り穀物導入開口部を設け、この戻り穀物導入開口部に、戻り穀物を排出する戻り穀物排出路を接続したものである。
【００２０】
この構成により、スクリーン上の穀物選別空間における異物溜り部から押し戻された穀物が戻り穀物導入開口部から導入されて戻り穀物排出路から排出され、スクリーン上における異物溜り部を除く殆どの部分には穀物が残らない。
【００２１】
請求項２記載の本発明は、請求項１記載の石抜装置において、スクリーン上に、穀物取出口側から異物溜り部近傍まで延びて穀物選別空間と戻り穀物排出路とを仕切る仕切壁を設けたものである。
【００２２】
この構成によれば、簡単な構成で穀物選別空間と戻り穀物排出路とを形成でき、戻り穀物排出路からの戻り穀物も穀物取出口側へ排出することとなるため、従来の石抜装置のスクリーンを交換するだけで容易に適用できる。
【００２３】
請求項３記載の本発明は、請求項２記載の石抜装置において、スクリーンにおける戻り穀物排出路底面をなす部分に、戻り穀物排出路に導かれた穀物を穀物取出口側へ送るように空気を吹き出す通気孔を設けたものである。
【００２４】
この構成によれば、戻り穀物排出路に導かれた穀物が通気孔から吹き出す空気により穀物取出口側へ積極的に送られるため、処理時間を短縮できる。
請求項４記載の本発明は、請求項２記載の石抜装置において、スクリーンにおける戻り穀物排出路底面をなす部分を、スクリーンの下方からの空気を通さない平板状に構成し、戻り穀物排出路に導かれた穀物を前記戻り穀物排出路底面の勾配により穀物取出口側へ送るように構成したものである。
【００２５】
この構成によれば、一層簡単な構造となって製造コストを低減できる。
請求項５記載の本発明は、請求項２〜４の何れかに記載の石抜装置において、スクリーン上の穀物選別空間を側方から囲む両側壁の少なくとも石抜口寄り部分を、側壁間寸法が石抜口側ほど狭い通路幅となる傾斜側壁で構成し、この傾斜側壁により異物溜り部側から押し戻される穀物を戻り穀物導入開口部に案内するように構成したものである。
【００２６】
この構成によれば、異物溜り部側から押し戻される穀物が傾斜側壁により戻り穀物導入開口部に向けて案内されるため、異物溜り部側から押し戻される穀物を良好に戻り穀物導入開口部に向けて案内できて、処理時間を短縮できる。
【００２７】
請求項６記載の本発明は、請求項２〜５の何れかに記載の石抜装置において、スクリーン部の異物溜り部側に移動された異物が戻り穀物導入開口部に向けて逆流することを防止する異物戻り防止部を設けたものである。
【００２８】
この構成によれば、異物が戻り穀物導入開口部に向けて逆流することが異物戻り防止部にて防止される。
請求項７記載の本発明は、請求項１〜６の何れかに記載の石抜装置において、戻り穀物導入開口部を開閉する開閉扉を設けたものである。
【００２９】
この構成によれば、戻り穀物導入開口部を開閉扉で開閉することができるので、所定期間のみ、例えば、処理穀物の供給が終了した時点で戻り穀物導入開口部を開けることで、通常は穀物取出口側へ排出しながら、処理穀物の供給終了後に専ら戻り穀物導入開口部から穀物を回収することができる。
【００３０】
【発明の実施の形態】
以下、本発明の実施の形態について、図面に基き説明する。なお、従来の石抜装置とほぼ同様な機能のものには同じ符号を付して、その説明は省略する。
【００３１】
図１に示すように、この石抜装置１０のスクリーン２上には、片側の側壁（後部側壁２ａおよび傾斜側壁２ｃ）と所定距離をおいてほぼ平行かつに近接して穀物取出口Ｂ側から異物溜り部２ｅの手前箇所まで延びる仕切壁１１が設けられ、この仕切壁１１によりスクリーン２上の空間がスクリーン幅方向に仕切られている。そして、仕切壁１１の先端と、この仕切壁１１に近接する傾斜側壁２ｃとの間に、異物溜り部２ｅ側から押し戻される穀物（戻り穀物と称す）Ｙ’を導入する戻り穀物導入開口部１２が形成され、また、仕切壁１１と傾斜側壁２ｃないし後部側壁２ａとの間に戻り穀物Ｙ’を排出する戻り穀物排出路１３が形成されている。
【００３２】
スクリーン２における処理穀物Ｘが選別される穀物選別空間Ｃの箇所（スクリーン２における穀物取出口Ｂと戻り穀物排出路１３とを除く部分）は、従来と同様に（図８参照）、その目が空気を石抜口Ａ側に吹き上げるように通気孔１が形成されている。一方、スクリーン２における戻り穀物排出路１３の底面をなす部分は、図３に示すように、その目が空気を穀物取出口Ｂ側に吹き上げるように通気孔１４が形成されている。
【００３３】
上記構成によれば、取出口扉５を閉じて、スクリーン２の下方から上方に空気を吹き上げ、かつスクリーン２を揺動させながらスクリーン２の穀物選別空間Ｃに処理穀物Ｘを供給すると、従来と同様に（図８参照）、穀物Ｙよりも比重が大きい石などの異物Ｚは浮き上がることなくスクリーン２に直接接触するので、スクリーン２の目の方向と揺動動作により石抜口Ａ側へ順次移動し、取出口扉５の手前箇所であるスクリーン２上の異物溜り部２ｅに集まる。
【００３４】
一方、穀物Ｙはスクリーン２を吹き上げる空気を受けて、スクリーン２より上方に浮上し、穀物取出口Ｂの側が低いものの、スクリーン２から吹き上げる空気の影響を受けてどちらかというと石抜口Ａ側へ移動しようとする。そして、穀物Ｙはスクリーン２上の異物溜り部２ｅに満たされた後も、石抜口Ａ側へ移動しようとする後続の穀物Ｙにより、取出口扉５が閉鎖されている異物溜り部２ｅにある穀物Ｙが傾斜側壁２ｃに案内されるようにして戻り穀物導入開口部１２に向けて押し戻される。そして、このようにして押し戻された戻し穀物Ｙ’は、戻り穀物排出路１３に導入された時点で、通気孔１４から吹き出す空気により穀物取出口Ｂ側へ積極的に送られるため、戻り穀物排出路１３から素早く穀物取出口Ｂへ排出される。
【００３５】
なお、従来と同様に、処理穀物Ｘが追加して供給されることで穀物Ｙはスクリーン２の面に沿って穀物選別空間Ｃ全面に広がり、追加供給された分だけスクリーン２上より穀物取出口Ｂ側へ向けても順次押出され、穀物取出口Ｂからも排出されて取出される。
【００３６】
処理穀物Ｘの供給が終わると、図２、図３に示すように、穀物選別空間Ｃ上の処理穀物Ｘは順次石抜口Ａ側へ移動して、異物Ｘは異物溜り部２ｅに集められ、異物溜り部２ｅからあふれた穀物Ｙは、戻り穀物導入開口部１２を介して戻り穀物排出路１３を通して穀物取出口Ｂへ排出される。
【００３７】
このように、スクリーン２上における異物溜り部２ｅを除くほとんどの部分に穀物Ｙが残ることを防止できるため、従来のように次回に処理する穀物Ｙと混入してしまうことが最小限に抑えられる。したがって、次に処理する処理穀物Ｘの銘柄が前のものと異なる場合でも、何ら支障を来すことはなく、従来のように穀物の取出し量が減少してしまうこともない。
【００３８】
また、異物溜り部２ｅに多くの異物Ｚが溜まらない限り、取出口扉５を開けずに石抜動作を繰り返しても支障を生じることはなく、特別な操作を必要としないため、作業能率も良好である。また、非常に簡単な構造であるため製造コストが安価となるだけでなく、戻り穀物排出路１３からの戻り穀物Ｙ’も従来と同様に穀物取出口Ｂへ排出されるため、従来の石抜装置のスクリーン２を交換するだけで済んで、製造コストが安価となり、従来製品に適用することも容易にできる。
【００３９】
また、異物溜り部２ｅ側から押し戻される穀物Ｙが傾斜側壁２ｃにより戻り穀物導入開口部１２に向けて案内されるため、戻り穀物排出路１３への穀物Ｙの流れが良好となり、また、戻り穀物排出路１３に導かれた戻り穀物Ｙ’は通気孔１４から吹き出す空気により穀物取出口Ｂ側へ積極的に送られるため、戻り穀物Ｙ’が穀物取出口Ｂへ迅速に排出されて処理時間を短縮でき、作業能率が向上する。
【００４０】
なお、図４に示すように、戻り穀物排出路１３の底面を、通気孔を有しない単なる平板１５で構成し、戻り穀物排出路１３に導かれた戻り穀物Ｙ’を戻り穀物排出路１３底面をなす平板１５の傾斜勾配により穀物取出口Ｂ側へ送るようにしてもよく、この場合には構成がさらに簡単になるため、一層製造コストを低減できる。
【００４１】
また、一般に、異物Ｚは処理穀物Ｘの極く僅かしかないため、異物溜り部２ｅから異物Ｚが逆流することはなく、戻り穀物導入開口部１２を異物溜り部２ｅのごく近傍まで近接させると、さらに残る穀物Ｙを減少させることが可能となるが、これに限るものではなく、図５の（ａ）に示すように、後部側壁２ａに対向する位置だけに仕切壁１１を設けても効果がある。また、図５の（ｂ）に示すように、スクリーン２の両側に仕切壁１１を設けたり、図６の（ａ）に示すように、スクリーン２の異物溜り部２ｅ側に移動された異物Ｚが戻り穀物導入開口部１２に向けて逆流することを防止する異物戻り防止部１６を設けたり、戻り穀物導入開口部１２に穀物排出管１７を接続したり、矩形のスクリーン２’に戻り穀物導入開口部１２や穀物排出管１７を接続したりすることも可能である。
【００４２】
また、図７の（ａ）、（ｂ）、図８の（ａ）〜（ｃ）に示すように、戻り穀物導入開口部１２を開閉する開閉扉１８を設けてもよい。例えば、この開閉扉１８を所定期間のみ、例えば、処理穀物Ｘの供給が終了した時点で戻り穀物導入開口部１２を開けることで、通常の石抜動作時は穀物取出口Ｂ側へ排出しながら、処理穀物Ｘの供給終了後に専ら戻り穀物導入開口部１２から戻り穀物Ｙを回収することができる。また、図７の（ｂ）に示すように複数の戻り穀物導入開口部１２を有する場合に、戻り穀物Ｙを回収する戻り穀物導入開口部１２を選択することも可能となる。
【００４３】
【発明の効果】
以上のように本発明によれば、スクリーン上の穀物選別空間における異物溜り部よりも低い箇所に臨み、前記異物溜り部側から押し戻される穀物を導入する戻り穀物導入開口部を設け、この戻り穀物導入開口部に、戻り穀物を排出する戻り穀物排出路を接続することで、スクリーン上における異物溜り部を除く殆どの部分に穀物を残さずに済み、従来のように穀物同士が混入してしまうことが最小限に抑えられて信頼性が向上し、従来のように穀物の取出し量が減少してしまうこともない。
【００４４】
また、スクリーン上に、穀物取出口側から異物溜り部近傍まで延びて穀物選別空間と戻り穀物排出路とを仕切る仕切壁を設けることで、従来の石抜装置に対してもスクリーンを交換するだけで容易に対応できる。
【００４５】
また、スクリーンにおける戻り穀物排出路底面をなす部分に、戻り穀物排出路に導かれた穀物を穀物取出口側へ送るように空気を吹き出す通気孔を設けることで、処理時間を短縮できる。
【図面の簡単な説明】
【図１】本発明の第１の実施の形態にかかる石抜装置の斜視図である。
【図２】同石抜装置の異物や穀物の流れを示す斜視図である。
【図３】図１のＩ−Ｉ線矢視断面図である。
【図４】本発明の他の実施の形態にかかる石抜装置の要部断面図である。
【図５】（ａ），（ｂ）はそれぞれ本発明のその他の実施の形態にかかる石抜装置の概略的な平面図である。
【図６】（ａ）〜（ｃ）はそれぞれ本発明のその他の実施の形態にかかる石抜装置の概略的な平面図である。
【図７】（ａ），（ｂ）はそれぞれ本発明のその他の実施の形態にかかる石抜装置の概略的な平面図である。
【図８】（ａ）〜（ｃ）はそれぞれ本発明のその他の実施の形態にかかる石抜装置の概略的な平面図である。
【図９】従来の石抜装置の斜視図である。
【図１０】同従来の石抜装置の断面図である。
【図１１】同従来の石抜装置の問題を示すための断面図である。
【図１２】その他の従来の石抜装置の斜視図である。
【図１３】同従来の石抜装置の断面図である。
【図１４】同従来の石抜装置の断面図である。
【図１５】その他の従来の石抜装置の斜視図である。
【図１６】その他の従来の石抜装置の平面図である。
【符号の説明】
１，１４      通気孔
２，２’      スクリーン
２ｃ、２ｄ    傾斜側壁
２ｅ          異物溜り部
１０          石抜装置
１１          仕切壁
１２          戻り穀物導入開口部
１３          戻り穀物排出路
１５          平板
１６          異物戻り防止部
１７          穀物排出管
１８          開閉扉
Ａ            石抜口
Ｂ            穀物取出口
Ｃ            穀物選別空間
Ｘ            処理穀物
Ｙ            穀物
Ｙ’          戻り穀物
Ｚ            異物
【図１】
0003693498.tif 000002
【図２】
0003693498.tif 000003
【図３】
0003693498.tif 000004
【図４】
0003693498.tif 000005
【図５】
0003693498.tif 000006
【図６】
0003693498.tif 000007
【図７】
0003693498.tif 000008
【図８】
0003693498.tif 000009
【図９】
0003693498.tif 000010
【図１０】
0003693498.tif 000011
【図１１】
0003693498.tif 000012
【図１２】
0003693498.tif 000013
【図１３】
0003693498.tif 000014
【図１４】
0003693498.tif 000015
【図１５】
0003693498.tif 000016
【図１６】
0003693498.tif 000017